(57)【要約】      （修正有）【課題】把持した手を滑り難くすると共に、糸条間に溜まった汚れを除去し易いグリップを有する釣竿を提供する。【解決手段】釣竿グリップのグリップ本体の上に０．２ｍｍ以上の間隙を設けつつ糸条ＨＪ，ＨＪ’を巻装配設し、この糸条の上からグリップ表面に塗料を塗布して塗膜１８’を形成し、糸条横断面を伴う断面において、重合する糸条の場合はグリップ本体側の糸条ＨＪを対象とし、糸条中心Ｃの高さにおける塗膜表面の点Ｐを通り、該塗膜表面と向かい合う隣接糸条の方向に向かう糸条中心高さラインＬと、前記点における塗膜表面の接線ＳＳのグリップ本体１４側に向かうラインとの成す角度θが８０度以下であるよう構成する。【選択図】図３
2010200622.tif 000002
【特許請求の範囲】
【請求項１】
釣竿グリップのグリップ本体の上に０．２ｍｍ以上の間隙を設けつつ糸条を巻装配設し、この糸条の上からグリップ表面に塗料を塗布して塗膜を形成し、糸条横断面を伴う断面において、重合する糸条の場合はグリップ本体側の糸条を対象とし、糸条中心高さにおける塗膜表面の点を通り、該塗膜表面と向かい合う隣接糸条の方向に向かう糸条中心高さラインと、前記点における塗膜表面の接線のグリップ本体側に向かうラインとの成す角度が８０度以下であることを特徴とする釣竿。
【請求項２】
釣竿グリップのグリップ本体の表面に０．２ｍｍ以上の間隙を設けつつ糸条を巻装配設し、この糸条の上からグリップ表面に塗料を塗布して塗膜を形成し、糸条横断面を伴う断面において、重合する糸条の場合はグリップ本体側の糸条を対象とし、糸条中心高さにおける隣接糸条の塗膜間隙の１／８だけ、一方の糸条の塗膜表面から他方の糸条に近づく方向に離隔した位置における塗膜厚さが、前記塗膜間隙の中央における塗膜厚さに対して２倍以上であることを特徴とする釣竿。
【発明の詳細な説明】
【技術分野】
【０００１】
本発明は、へら竿等のグリップ外周に糸条を巻装した釣竿に関する。
【背景技術】
【０００２】
グリップ本体をＥＶＡ等の発泡性樹脂や天然コルク等の多孔質材で形成したへら竿等のグリップは、その表面がもろいため、ウレタン樹脂等によって表面硬化処理を施し、その上からナイロン糸や綿糸等の糸条を巻装して滑り止めを行うと共に、把持感を向上させている。下記特許文献１では滑り防止と把持感を良くするためのグリップが開示されている。また、下記特許文献２では、軽量で耐久性に優れたグリップが開示されており、グリップ表面に糸条が巻装された構造が開示されている。
【特許文献１】特開平５−１３７４８４号公報
【特許文献２】特開平９−１０７８５１号公報
【発明の開示】
【発明が解決しようとする課題】
【０００３】
然しながら、表面に糸条を巻装していると、糸条間の窪みにゴミがたまり易い。特に、使用する餌によってはヌメリがあり、そのヌメリの付着した手でグリップを把持すれば、糸条間にヌメリ汚物が蓄積する。この汚れを除去すべくブラシ等で擦っても汚れは除去し難い。
依って解決しようとする課題は、把持した手を滑り難くすると共に、糸条間に溜まった汚れを除去し易いグリップを有する釣竿を提供する。
【課題を解決するための手段】
【０００４】
上記課題に鑑みて第１の発明は、釣竿グリップのグリップ本体の上に０．２ｍｍ以上の間隙を設けつつ糸条を巻装配設し、この糸条の上からグリップ表面に塗料を塗布して塗膜を形成し、糸条横断面を伴う断面において、重合する糸条の場合はグリップ本体側の糸条を対象とし、糸条中心高さにおける塗膜表面の点を通り、該塗膜表面と向かい合う隣接糸条の方向に向かう糸条中心高さラインと、前記点における塗膜表面の接線のグリップ本体側に向かうラインとの成す角度が８０度以下であることを特徴とする釣竿を提供する。
８０度以下は、好ましくは６５度以下であり、更に好ましくは５０度以下である。
【０００５】
第２の発明は、釣竿グリップのグリップ本体の表面に０．２ｍｍ以上の間隙を設けつつ糸条を巻装配設し、この糸条の上からグリップ表面に塗料を塗布して塗膜を形成し、糸条横断面を伴う断面において、重合する糸条の場合はグリップ本体側の糸条を対象とし、糸条中心高さにおける隣接糸条の塗膜間隙の１／８だけ、一方の糸条の塗膜表面から他方の糸条に近づく方向に離隔した位置における塗膜厚さが、前記塗膜間隙の中央における塗膜厚さに対して２倍以上であることを特徴とする釣竿を提供する。
【発明の効果】
【０００６】
第１の発明では、上記接線が８０度よりも大であれば、糸条のグリップ本体側の円弧状外周部分とグリップ本体側表面との間（以下、糸条根元部）に充分な塗料が充填されているとはいえない状態である。この糸条根元部に汚れが蓄積した場合、グリップの外から水をかけたりブラシで擦っても、その汚れを除去し難い。そこで接線が上記８０度以下の傾斜になっていることを要件としており、この程度以下の傾斜角度であれば糸条根元部には塗料が充填されているため、汚れがこの根元部には侵入しない。ブラシの毛先は細いもので直径６０ミクロン程度のものがあり、またそれ以上の直径のものもあり、糸条間隙が０．２ｍｍ以上故、適する直径毛先のブラシを選択すれば、その毛先や噴射した水が糸条間の隙間底部に充分届き、グリップの掃除が容易になる。
第２の発明も第１の発明と同様な作用効果を狙っており、表現を異ならしめているに過ぎない。
【発明を実施するための最良の形態】
【０００７】
以下、本発明を添付図面を用いて更に詳細に説明する。図１は本発明に係る釣竿の要部正面図であり、図２は図１の要部を拡大図示した図、図３は図１の矢視線Ｃ−Ｃによる断面の模式的拡大部分図である。釣竿としてはへら鮒釣用のへら竿を例示している。エポキシ樹脂等の合成樹脂をマトリックスとし、炭素繊維等の強化繊維で強化した繊維強化樹脂製の竿杆１０の後部には、ＥＶＡ等の発泡性樹脂や天然コルク等の多孔質材製のグリップ本体１４を接着固定し、その表面にウレタン樹脂塗膜１６とエポキシ樹脂塗膜１８とを形成し、そうした表面硬化処理を施した上に、糸条ＨＪ，ＨＪ’を巻装等して配設し、この糸条の上から糸止め材としてのエポキシ樹脂塗料を塗って塗膜１８’を形成し、糸条を保持固定する。こうしてグリップ１０Ｇを形成する。
【０００８】
１２は尻栓である。上記グリップ本体の表面処理はこの例に限らず、一種類の塗膜１６又は１８のみの場合もあり、使用する塗膜樹脂は熱硬化性樹脂でも熱可塑性樹脂でもよい。表面処理にウレタン樹脂塗料、エポキシ樹脂塗料、アクリル樹脂塗料等が使用可能であるが、表面処理層の最外層にエポキシ樹脂塗料の層を設ければ、糸止め材のエポキシ樹脂塗料の層１８’の付着性が向上する。
【０００９】
糸条としては、ナイロン糸や綿糸が使用され、その直径Ｄは０．２ｍｍ≦Ｄ≦１ｍｍが好ましい。糸条ＨＪは、竿杆（グリップ）中心軸線Ｊに平行な軸長方向に対して角度θに傾斜させると共に、隣接糸条間に隙間を設けて巻装し、これらの糸条ＨＪに交差するように他の方向に指向した糸条ＨＪ’を−θの角度に傾斜させ、同様に隙間を設けて巻装している。この２つの角度は必ずしも絶対値が同じ値θでなく、異なっていてもよい。また、例えば、糸条ＨＪを８５度、糸条ＨＪ’を６５度にして両者を交差させてもよい。ここでは角度θは７５度にしている。また、ここでは全ての糸条は同じ直径の糸条を使用しているが、異ならせてもよい。
【００１０】
こうして４本の隣接糸条ＨＪ，ＨＪ’に囲まれた隙間Ｓが多数形成される。この例では、グリップの大径領域においては、糸条ＨＪ同士の隙間間隙と他の糸条ＨＪ’同士の隙間間隙とは同じ値に設定しており、このため隙間Ｓの形状は菱形である。しかし、両糸条の隙間間隙を異ならせば、隙間形状は平行四辺形となる。更には、糸条の傾斜角度を適宜異ならしめれば、一般に矩形状となる。これらの各形状隙間Ｓのグリップ軸長方向の最大寸法Ｙとグリップ円周方向の最大寸法Ｔは、夫々、菱形においては図示の如く対角線の長さ寸法である。
【００１１】
把持感のみを考慮すれば、グリップ軸長方向の隙間最大寸法Ｙが０．３ｍｍ未満では、充分に把持手の肉部が入り込まず、１ｍｍを超えては肉部が入り過ぎ、却って痛さを感じ、把持感が良くないため、寸法Ｙは０．３ｍｍ≦Ｙ≦１ｍｍが好ましい。また、上記傾斜角度θは６５度≦θ≦８５度が好ましい。更には、寸法Ｔは３Ｙ≦Ｔ≦６Ｙが好ましい。しかし、本願では、糸条間をある程度離隔させてグリップ把持の滑りを防止すると共に、汚れの掃除を簡便にすることを目的とするため、糸条隙間は０．２ｍｍ以上である。
【００１２】
図３にも現れているが、糸条ＨＪ，ＨＪ’の交差部Ｋはグリップの外方向に最も突出している部位であるため、ここに把持手が最も引っ掛かり易く、滑り止め効果が高い。また、糸条ＨＪと他の方向の糸条ＨＪ’とは、単に全ての一方の上に他方を重ねてもよいし、互いに適宜上下になるように編んでもよいが、編んでいる方が、把持手との摩擦によってもその位置がずれ難くて好ましい。
【００１３】
好ましい形態として、グリップ本体１４の表面処理層の最外層にエポキシ樹脂塗料の層１８を設けた上に、糸条ＨＪ，ＨＪ’を巻装配設し、この上から、糸止め材としてエポキシ樹脂塗料を塗布してエポキシ樹脂塗料層１８’を形成する。この層１８’の形成の場合、刷毛で塗布することで、糸条ＨＪと表面処理を行ったグリップ本体側表面１８との間空間（糸条根元部）Ｎにエポキシ樹脂塗料が充填され易い。エポキシ樹脂塗料の粘度に応じて１回以上の適宜回数塗布する。例えば、塗装作業効率が良いためよく使用されるがん吹き塗装では、糸条ＨＪの陰となる糸条根元部Ｎに塗料が行きわたり難く、塗料が充填され難い。
【００１４】
エポキシ樹脂塗膜１８に使用する塗料の粘度は（１００〜３００ｃＰ（０．１〜０．３Ｎｓ／ｍ２））であり、エポキシ樹脂塗膜１８’に使用する塗料の粘度は（３０〜１００ｃＰ（０．０３〜０．１Ｎｓ／ｍ２））である。塗膜１８’に関し、複数回塗布する場合、２回塗布では、例えば、１回目は粘度（３０〜６０ｃＰ（０．０３〜０．０６Ｎｓ／ｍ２））、２回目は粘度（３０〜１００ｃＰ（０．０３〜０．１Ｎｓ／ｍ２））にする。
【００１５】
グリップ本体側の糸条ＨＪの中心Ｃの高さにおける塗膜１８’表面の点Ｐにおける接線Ｓのグリップ本体方向と、中心高さラインＬの、隣接する他方の糸条ＨＪへの方向との成す角度θは８０度以下であり、この例では、６４度である。この程度の傾斜角度θであれば、図３に示す如く、糸条根元部Ｎにエポキシ樹脂塗料が充分に充填されており、このため汚れが溜まることが防止される。中心軸線Ｊ方向の隣接糸条ＨＪ，ＨＪ同士の間隙Ｙ（糸条ＨＪ，ＨＪ’の各間隙が同じであって傾斜角の絶対値が同じ場合は図２の寸法Ｙと同じ故このＹを使用）は０．２ｍｍ以上の、例えば０．４ｍｍであるため、直径０．２ｍｍ程度の毛先ブラシによって掃除が容易になる。即ち、０．２ｍｍ毛先が隣接糸条ＨＪ，ＨＪ間の隙間底部に達し、容易に清掃できる。
【００１６】
本願の特徴に対し、接線を用いた上記表現以外に以下の表現も可能である。隣接糸条間において、糸条ＨＪの中心高さラインＣにおける塗膜１８’同士の間隙Δは前記寸法Ｙよりも塗膜厚さに応じて小さいが、この間隙中央位置における塗膜１８’の肉厚ｔ０に対し、前記点Ｐから対向している糸条ＨＪの方向に距離Δ／８だけ離隔した位置における塗膜１８’の肉厚ｔは２倍以上である。このことは、糸条根元部Ｎ近くなるとエポキシ樹脂塗料が充填されていて、隣接糸条間の隙間底部面の各糸条寄り縁部が、図３にも図示されているように傾斜状に形成されていることを示している。こうした傾斜状面のために、糸条根元部Ｎに汚れが蓄積し難いと共に掃除も容易になる。
【００１７】
図４はグリップの円周方向の寸法Ｔに沿う模式的拡大断面である。図３や図４に示すように、本願における糸止め用の塗膜１８’は各糸条根元部Ｎにおいて、一般になだらかなすり鉢状に形成されている。即ち、図２に示す菱形隙間Ｓの糸条付近である隙間周辺縁部全周がなだらかなすり鉢状であるため、掃除用のブラシを隙間Ｓ内のどの方向に動かしても、隙間内の汚れを容易にかき出して掃除することができる。
また、このことは、隙間Ｓが菱形でなくて、一般の矩形の場合についても同様である。
【産業上の利用可能性】
【００１８】
本発明は、へら竿等の釣竿のグリップ外周に糸条を巻装した釣竿に利用できる。
【図面の簡単な説明】
【００１９】
【図１】図１は本発明に係る釣竿の要部正面図である。
【図２】図２はその要部を拡大図示した図である。
【図３】図３は図１の矢視線Ｃ−Ｃによる断面の模式的拡大部分図である。
【図４】図４はグリップの円周方向の寸法Ｔに沿う模式的拡大断面である。
【符号の説明】
【００２０】
１０                            竿杆
１０Ｇ                          グリップ
Ｃ                              糸条中心
ＨＪ                            一の方向の糸条
ＨＪ’                          他の方向の糸条
Ｌ                              糸条中心高さライン
Ｎ                              糸条根元部
Ｓ                              糸条間隙間
ＳＳ                            接線
Ｙ                              グリップ軸長方向の糸条間隙間
【図１】
2010200622.tif 000003
【図２】
2010200622.tif 000004
【図３】
2010200622.tif 000005
【図４】
2010200622.tif 000006